(57)【特許請求の範囲】
【請求項１】
電子装置のカードソケットのハウジングに備えられて、情報のための様々なデータを保持するカードと接触する電子装置のカードソケット用アクセス端子であって、
前記カードに備えられたカード端子と接触するように構成された主端子と、
前記カード端子と接触するように構成された補助端子と、
前記主端子と補助端子とを接続する接続部であって、前記主端子および補助端子の弾性変形を塑性変形なく容易にするための弾性補強孔が前記接続部を貫通して形成されている接続部と、を備え、
該接続部は左の縁および右の縁を有し、前記弾性補強孔は前記左右の縁の一方に近く他方から遠くなっていて、前記弾性補強孔は前方から後方に向けて該弾性補強孔を通過する中心線を有し、該中心線から前記接続部の近い方の縁までの距離は前記中心線から前記接続部の遠い方の縁までの距離よりも短く、
前記主端子は補助端子より短く、前記接続部の第１の部分が前記弾性補強孔と接続部の左の縁との間に画定され、前記接続部の第２の部分が前記弾性補強孔と接続部の右の縁との間に画定され、前記接続部の第１の部分は第２の部分よりも幅が狭く、前記接続部の第１の部分は前記補助端子の後ろに位置する、カードソケット用アクセス端子。
【請求項２】
前記主端子および補助端子が、異なる幅を有する、請求項１に記載のカードソケット用アクセス端子。
【請求項３】
前記接続部の第１および第２の部分が、前方に向かって幅が狭くなっている、請求項１に記載のカードソケット用アクセス端子。
【請求項４】
前記弾性補強孔が、接続部の前方に向かって幅広になっている、請求項１に記載のカードソケット用アクセス端子。
【請求項５】
前記主端子の幅が、前記補助端子の幅を下回る、請求項１に記載のカードソケット用アクセス端子。
【請求項６】
前記カードが前記カードソケットのハウジングに抜き差しされると、前記補助端子がまずカードに接触して下降するように構成され、前記補助端子が接続部を介して主端子と接続されているので、前記補助端子の下降が主端子を下降させるように誘導する、請求項１に記載のカードソケット用アクセス端子。
【請求項７】
前記主端子および補助端子が、
前記接続部から延びて、前端に向かって斜め上方に傾斜して形成され、それによって内部弾性を有するようになっている、上方傾斜部と、
該上方傾斜部の前端から斜め下方に傾斜する下方傾斜部と、を備える、請求項６に記載のカードソケット用アクセス端子。
【請求項８】
前記主端子および補助端子が、異なる幅と、異なる接点高さとを有する、請求項６に記載のカードソケット用アクセス端子。
【請求項９】
前記主端子の接点と前記補助端子の接点とが、異なる前後位置に形成されている、請求項８に記載のカードソケット用アクセス端子。
【請求項１０】
前記補助端子が前記主端子よりも長く形成され、前記補助端子の前端が、前記ハウジング上で、前記主端子の前端よりも低く位置付けられる、請求項６に記載のカードソケット用アクセス端子。
【請求項１１】
前記ハウジングに装着されたときに、前記補助端子の前端が、前記ハウジングの内部床よりも低く位置する、請求項６に記載のカードソケット用アクセス端子。
【請求項１２】
前記主端子および補助端子が、前記接続部の前端から分岐して形成されている、請求項６に記載のカードソケット用アクセス端子。
【請求項１３】
前記主端子の上方傾斜部が、前記接続部に接続する部分から、前記接点の前の部分まで、左右に狭くなる形状をもって形成されている、請求項７に記載のカードソケット用アクセス端子。
【請求項１４】
前記補助端子が前記主端子より長く、前記接続部の第１の部分が前記弾性補強孔と接続部の左の縁との間に画定され、前記接続部の第２の部分が前記弾性補強孔と接続部の右の縁との間に画定され、前記接続部の第１の部分は第２の部分よりも幅が狭く、前記接続部の第１の部分は前記補助端子の後ろに位置する、請求項１に記載のカードソケット用アクセス端子。
【請求項１５】
前記主端子の幅が前記補助端子の幅より狭い、請求項１４に記載のカードソケット用アクセス端子。
【発明の詳細な説明】
【技術分野】
【０００１】
本発明は、電子機器、例えば携帯電話端末に備えられたカードソケットのためのアクセス端子に関し、より具体的には、単一のカード端子への多重アクセスを可能にするカードソケットのためのアクセス端子に関する。
【背景技術】
【０００２】
携帯電話端末に備えられた様々なカードのうち、ＳＩＭカードは、端子を作動させるために必要な情報の多くを読み込んでおり、特に、これらは、パスワード等の加入者個人情報に加えて、電話番号、ネットワーク番号等を含む、関連のある暗号化データを読み込んでいる。よって、移動端末には、端末内に搭載された主回路基板にＳＩＭカードソケットが備えられ、ＳＩＭカードがＳＩＭカードソケットと電気接触するように設計されている。
【０００３】
ＳＩＭカードソケットには、ＳＩＭカードに備えられたカード端子との接触が生じるアクセス端子が備えられている。ソケットのカード端子およびアクセス端子は、一対一で対応し、韓国登録特許第０９１９９４８号（以下「参考文献」）にあるように、単一のアクセス端子が、単一のカード端子に接触する。
【０００４】
参考文献によれば、ハウジング内には、ＳＩＭカードに備えられたものと同じ数のアクセス端子が備えられ、アクセス端子の接点部は、ハウジングの底面から上に突出して、ＳＩＭカードのカード端子に接触する。
【０００５】
ＳＩＭカードに備えられたカード端子と同じ数のアクセス端子がＳＩＭカードソケットに備えられた場合、先行特許にあるように、ＳＩＭカードソケットに備えられたアクセス端子のいくつかが破損すると、その後信号が正しく伝達されることができなくなり、製品の欠陥に至ることが避けられない。
【先行技術文献】
【特許文献】
【０００６】
【特許文献１】大韓民国登録特許公報第０９１９９４８号（２００９年１０月１日発行）
【発明の概要】
【発明が解決しようとする課題】
【０００７】
本発明は、上述の従来技術の問題を解決するためになされ、カードに備えられた単一のカード端子と複数回接触することができる複数の接点を有することによって、カード端子との接触を確実に行うことができるカードソケット用アクセス端子を提供することを目的とする。
【課題を解決するための手段】
【０００８】
本発明のカードソケット用アクセス端子は、電子機器のカードソケットのハウジングに備えられ、情報のための様々なデータを保持するカードと接触するアクセス端子であり、カードに備えられたカード端子に対応する数で備えられて、カード端子と接触する主端子と、任意に、主端子が接触する同じカード端子、および主端子に接触する補助端子と、主端子と補助端子とを接続する接続部とを備える。
【０００９】
主端子と補助端子とは、異なる長さを有する。
【００１０】
接続部上に、主端子および補助端子の弾性変形を塑性変形なく容易にするための弾性補強孔が形成されている。
【００１１】
主端子および補助端子は、単一のユニットとして、接続部から前方に延び、弾性補強孔は、接続部の中心の左または右に斜めに形成され、それによって、弾性補強孔の中心を前方から後方に通過する、中心線（Ｌ）から一方の縁までの距離が、中心線（Ｌ）から反対側の縁まで測定された幅を下回るようになっている。
【００１２】
弾性補強孔の左右の接続部の一部分は、前方に向かって幅が狭くなる。
【００１３】
弾性補強孔は、接続部の前方に向かって幅が広くなる。
【００１４】
弾性補強孔の左右の接続部の一部分の一方の側は、弾性補強孔の中心線（Ｌ）から測定されたより狭い幅を有し、主端子および補助端子のうちより長い一方の後ろに位置し、弾性補強孔の中心線から測定されたより広い幅を有する反対側は、主端子および補助端子のうちより短い一方の後ろに位置する。
【００１５】
主端子および補助端子のうちより短い方の端子の幅は、より長い方の端子の幅を下回る。
【００１６】
カードまたはカードアダプタが抜き差しされると、補助端子がまずカードまたはカードアダプタに接触して下降するときに、補助端子はさらに、接続部を介してそれと接続される主端子を下降させるように誘導する。
【００１７】
主端子およびアクセス端子は、内部弾性を有し、接続部から延び、前端に向かって斜め上方に傾いて形成された上方傾斜部と、上方傾斜部の前端から斜め下方に傾斜して延びる下方傾斜部とを備える。
【００１８】
主端子と補助端子とは、長さと、接点の高さとが異なる。
【００１９】
主端子の接点と補助端子の接点とは、異なる前後位置に形成されている。
【００２０】
補助端子は、主端子よりも長く形成され、その前端は、ハウジング上で、主端子の前端よりも低く位置付けられる。
【００２１】
ハウジングに装着されたときに、補助端子の前端は、ハウジングの内部床よりも低く位置付けられる。
【００２２】
主端子および補助端子は、接続部の前端の中心から互いに離間して形成されている。
【００２３】
主端子は、接続部に接続する部分から、接点の前の部分まで、左右に狭くなる形状をもって形成されている。
【発明の効果】
【００２４】
本発明によるカードソケット用アクセス端子は、以下の効果を有する。
【００２５】
第１に、主端子と補助端子とに分割されているＳＩＭカードに備えられた、各カード端子に対応するアクセス端子につき、カード端子との複数の接点が形成されるため、例えば主端子が破損していることに起因して、接触状況に瑕疵がある場合であっても、補助端子もまたカード端子に接触しているために、アクセス端子とカード端子との間の瑕疵のある接続を防止することができ、それによって、製品の信頼性を維持することが可能になる。
【００２６】
第２に、ＳＩＭカードがカードソケットに抜き差しされるときの弾性変形を容易にすることに起因し、主端子および補助端子が異なる長さおよび幅をもって形成され、接続部上に弾性補強孔を形成することに起因して、アクセス端子の塑性変形を防止し得るようになり、結果として、長期にわたって製品の品質を維持し得るようになる。
【００２７】
第３に、端子が引っ掛かることなく、カードまたはカードアダプタの抜き差しを容易にし得るようになるが、これは、カードまたはカードアダプタが抜き差しされるときに、まず補助端子がカードまたはカードアダプタに接触して下降するにつれて、補助端子もまた、接続部を介して接続された端子を誘導して下降させるためである。
【図面の簡単な説明】
【００２８】
【図１】本発明の実施形態１による、ＳＩＭカードがカードソケット用アクセス端子を用いてカードソケットに挿入された状態を概略的に示す図である。
【図２】本発明の実施形態１による、カードソケットアクセス端子の斜視図である。
【図３】図２の上面図である。
【図４】図２の前面図である。
【図５】図３における、それぞれの端子の幅と、接続部のいずれかの側の幅との間の関係を、矢印を用いて示す図である。
【図６】台形の梁および矩形の梁の応力分布図である。
【図７】カードアダプタの上面図である。
【図８】本発明の実施形態１によるアクセス端子が備えられたソケットに予め挿入されたカードアダプタを、ソケットから取り除く工程を示す斜視図である。
【図９】本発明の実施形態１によるアクセス端子が備えられたソケットに予め挿入されたカードアダプタを、ソケットから取り除く工程を示す斜視図である。
【図１０】本発明の実施形態１によるアクセス端子が備えられたソケットに予め挿入されたカードアダプタを、ソケットから取り除く工程を示す斜視図である。
【図１１】本発明の実施形態１によるアクセス端子が備えられたソケットに予め挿入されたカードアダプタを、ソケットから取り除く工程を示す斜視図である。
【図１２】本発明の実施形態２によるカードソケットアクセス端子の斜視図である。
【図１３】図１２の上面図である。
【発明を実施するための形態】
【００２９】
以下において、添付の図面を参照して、本発明の好ましい実施形態によるカードソケット用アクセス端子が、より詳細に説明される。
【００３０】
図１は、ＳＩＭカードが、本発明の実施形態１によるカードソケット用アクセス端子を用いて、カードソケットに挿入された状態を概略的に示す図である。
【００３１】
カードソケット１は、ハウジング１００と、アクセス端子２００と、金属シェル３００とを備える。
【００３２】
ハウジング１００内には、ＳＩＭカード２が挿入されたときにアクセス端子２００がＳＩＭカード２によって押下された場合に弾性変形を可能にするための端子変形孔１０１が形成されている。
【００３３】
アクセス端子２００の後端は、ハウジング１００に嵌め込まれ、前端は、ハウジング１００の端子変形孔１０１を介して露出されて、ＳＩＭカード２のカード端子２ａに接触する。アクセス端子２００は、ＳＩＭカード２に備えられたカード端子２ａの数に対応する数で備えられ、カード端子２ａに接触する主端子２１０と、主端子２１０に接触して、主端子２１０が破損した場合であってもカード端子２ａとの接続を維持することができるようにする補助端子２２０とを備える。
【００３４】
図に示されるように、主端子（２１０）および補助端子（２２０）が、同時に同じカード端子（２ａ）と接触するため、補助端子（２２０）は、主端子（２１０）が破損した場合であっても、カード端子（２ａ）との接続を維持する（また同様に、補助端子が破損した場合であっても、主端子とカード端子との接続を維持する）。しかしながら、構成はこれに限定されず、主端子（２１０）のみがカード端子（２ａ）に接触し、補助端子（２２０）は、主端子（２１０）が破損した場合のみカード端子（２ａ）に接触するように構成されてもよい。加えて、挿入されたカードの厚さの差異等の要因によって、主端子２１０および補助端子２２０が、カード端子２ａに同時に接触するか、または主端子２１０が単独で接触することが可能である。
【００３５】
主端子（２１０）の接点と、補助端子（２２０）の接点とは、両方ともハウジング（１００）の内部床の上部に位置し、それによって、ＳＩＭカード２が挿入される前に、これらがカード端子２ａと接触することができるようになっている。
【００３６】
図２は、本発明の実施形態１による、カードソケットアクセス端子の斜視図であり、図３は、図２の上面図であり、図４は、図２の前面図である。
【００３７】
本実施形態によるアクセス端子（２００）は、主端子（２１０）と、補助端子（２２０）と、接続部（２３０）と、嵌め込み部（２４０）とを備える。
【００３８】
主端子（２１０）は、前端に向かって斜め上方に傾斜して形成されることによって内部弾性を有する第１の上方傾斜部（２１１）と、第１の上方傾斜部（２１１）の前端から斜め下方に傾斜して延びる第１の下方傾斜部（２１２）と、第１の上方傾斜部（２１１）の上端に形成されて、カード端子（２ａ）に接触する第１の接点（２１３）とを備える。第１の上方傾斜部（２１１）は、直線状に形成されず、より大きな弾性をもたらすような単一の上向きの湾曲に形成されている。
【００３９】
補助端子（２２０）は、前端に向かって斜め上方に傾斜して形成されることによって内部弾性を有する第２の上方傾斜部（２２１）と、第２の上方傾斜部（２２１）の前端から斜め下方に傾斜して延びる第２の下方傾斜部（２２２）と、第２の上方傾斜部（２２１）の上端に形成されて、カード端子（２ａ）に接触する第２の接点（２２３）とを備える。
【００４０】
接続部（２３０）は、主端子（２１０）および補助端子（２２０）の後部に接続して、それによって、主端子（２１０）および補助端子（２２０）が、接続部（２３０）の前端の中心から分岐するようになっている。接続部（２３０）上には、主端子（２１０）および補助端子（２２０）の弾性を増大させるように、弾性補強孔（２３１）が形成されている。主端子（２１０）および補助端子（２２０）が変形した場合、これらは、この弾性補強孔（２３１）によって、塑性変形ではなく、スムーズに弾性変形する。
【００４１】
嵌め込み部（２４０）は、接続部（２３０）の後方から、主端子（２１０）および補助端子（２２０）のいずれかの側に向かって延び、それによって、ハウジング（１００）およびアクセス端子（２００）がオーバーモールドされた場合、嵌め込み部がハウジング（１００）内に嵌め込まれて、適所に固定されるようになっている。
【００４２】
補助端子（２２０）の第２の接点（２２３）は、主端子（２１０）の第１の接点（２１３）の前方に位置し、その高さは、第１の接点（２１３）のものよりも低い。加えて、補助端子（２２０）は、主端子（２１０）よりも長く形成され、補助端子（２２０）の前端は、主端子（２１０）の前端の下に位置する。
【００４３】
参照番号２５０は、それぞれの端子（２１０）、（２２０）の接触圧を補強するために、接続部（２３０）および各端子（２１０）、（２２０）にわたって形成された補強ビードである。
【００４４】
図５は、図３における、それぞれの端子の幅と、接続部のいずれかの側の幅との間の関係を、矢印を用いて示す図であり、図６は、台形の梁および矩形の梁の応力分布図である。
【００４５】
主端子（２１０）の長さは、補助端子（２２０）のものを下回り、幅は、補助端子（２２０）のものを下回り、それによって、２つの端子（２１０）、（２２０）の接触圧が同じかまたは同様に保たれ得るようになる。２つの端子（２１０）、（２２０）の接触圧の差異を最小限にすることによって、２つの端子（２１０）、（２２０）の接触抵抗（ａｈ電気特性）における差異が最小限にされ得る。
【００４６】
以下の数式１に示されるように（カンチレバーのたわみを表す式）、梁に与えられる負荷Ｆ（接触端子における接触圧と称する）は、長さＬの立方根に反比例し、梁の幅ｂに比例する。
【００４７】
数式１［式１］
0006295376.tif 000002
【００４８】
（δ：梁のたわみ、Ｆ：梁に与えられる負荷、Ｌ：梁の長さ、Ｅ：一般的な構造用鋼の弾性係数、Ｉ：断面積の二次モーメント、ｂ：梁の幅、ｔ：梁の高さ）
【００４９】
上記の式１に基づいて、２つの端子（２１０）、（２２０）の長さを変えて、これらを異なる幅をもって形成することによって、これらに、同様または同一の接触圧が付与され得る。端子接触圧は、端子の接触部上に形成された不純物または酸化物被膜を取り除き、電気の導通を促進する重要な役割を果たすことに留意すべきである。接触圧が必要よりも低い場合、その時は、物理的接触がある場合であっても、電気が流れないかまたは接触抵抗が増大して、それによって熱（または火気）の不必要に大きなリスクが存在する。
【００５０】
弾性補強孔（２３１）は、接続部（２３０）上に形成されて、端子（２１０）、（２２０）の弾性を増大させる。弾性補強孔（２３１）では、後方から各端子（２１０）、（２２０）の前端に向かう左右幅が減少しているため、弾性補強孔（２３１）の左側または右側に位置する部分の左右幅もまた、それぞれの端子（２１０）、（２２０）の前端に向かって減少する。弾性補強孔（２３１）の左右に形成された接続部（２３０）の部分は、端子（２１０）、（２２０）の前端に向かって幅が減少する台形に形成されている。
【００５１】
図６（ａ）に示されるように、上方から見ると、台形形状を有する梁は、全体に均一の応力分布を有し、一方で図６（ｂ）に示されるように、上方から見ると、矩形形状を有する梁は、不均一な応力分布を有することに留意すべきである。
【００５２】
これらの応力分布図からわかるように、本発明の実施形態１では、応力が接続部（２３０）の左右部分全体に均一に分布しているため、塑性変形のリスクが解消され得る。
【００５３】
加えて、弾性補強孔（２３１）が、接続部（２３０）の一方の側に向かって斜めに形成されているため、接続部（２３０）の一方の側に向かって弾性補強孔（２３１）の中心を通過する中心線（Ｌ）からの幅（ｂ１）は、中心線（Ｌ２）から接続部（２３０）の反対側までの幅（ｂ２）を上回る。
【００５４】
接続部（２３０）の両側の幅の差異は、同様または同一の２つの端子（２１０）、（２２０）の接触圧を作り出す大きな役割を果たす。特に、図５に示されるように、弾性補強孔（２３１）の中心線（Ｌ）から測定された幅が狭い接続部（２３０）の側部が、２つの端子（２１０）、（２２０）のうちより長くかつ幅広な補助端子（２２０）の後方に形成され、弾性補強孔（２３１）の中心線（Ｌ）から測定されたときにより幅広い部分が、２つの端子（２１０）、（２２０）のうちより短くかつ幅狭な主端子（２１０）の後ろに形成されることが好ましいく、これは、端子（２１０）、（２２０）の塑性変形が、それによって低減するためである。
【００５５】
言い換えると、端子の塑性変形は、接続部（２３０）上に形成された弾性補強孔（２３１）を有する台形形状を有する構造によって、効果的に防止され得るものであり、ここで弾性補強孔（２３１）の所与の側に位置する接続部（２３０）の一部分の幅は、２つの端子（２１０）、（２２０）の幅に比例的に反する。
【００５６】
主端子（２１０）はさらに、接続部（２３０）から分岐する点から、第２の接点（２２３）が形成される部分に向かって狭くなる左右幅をもって形成され、まっすぐの弾性変形が可能になる。このような目的で、補助端子（２２０）に向かって位置する側は、傾斜して形成されている。
【００５７】
図７は、カードアダプタの上面図であり、図８〜１１は、本発明の実施形態１によるアクセス端子が備えられたソケットに予め挿入されたカードアダプタを、ソケットから取り除く工程を示す斜視図である。
【００５８】
ＳＩＭカードは、多様なサイズで製造されて用いられており、ミニＳＩＭカード、マイクロＳＩＭカード、およびナノＳＩＭカードを含む。これらのカードはサイズが異なるため、したがって、対応するソケットのサイズもまた変化させなければならない。このように、カードごとにそれぞれに異なるソケットが備えられる場合、これは、製品の単位コストを増大させる要因となり、そのため、大小両方のＳＩＭカードが用いられることを可能にするカードアダプタ（３）が開発されて、組み込まれてきた。詳細には、大きなＳＩＭカードは、アダプタなしに単にそのままで用いられ、一方で小さなＳＩＭカードは、使用のためにカードアダプタに結合される。
【００５９】
携帯電話端末が出荷されるとき、これらは通常は、カードソケットに結合されたカードアダプタとともに出荷される。加えて、使用時にＳＩＭカードがＳＩＭカードアダプタに結合されておらず、カードアダプタのみがカードソケットに結合されている場合がある。
【００６０】
図７に示されるように、カードアダプタ（３）上には、ＳＩＭカードが挿入されて結合されるためのカード結合孔（３ａ）が備えられる。アクセス端子が挿入方向に傾斜して形成されているため、カードアダプタ（３）がカードソケットに挿入されると、カードアダプタ（３）は、アクセス端子によって妨げられることなく、スムーズに挿入されることができる。しかしながら、カードアダプタ（３）がカードソケットから取り除かれた場合、カードアダプタ（３）のカード結合孔（３ａ）が、アクセス端子の端に引っ掛かって容易な分離を妨害し、加えて、アクセス端子が、取り除いている間に与えられた過度な力によって、変形して破損するおそれがある。本発明は、補助端子（２２０）を備えることによって、これらの問題を解決することが可能である。
【００６１】
図８に見られるように、本発明によれば、アクセス端子（２００）がハウジング（１００）に装着されると、主端子（２１０）の前端は、ハウジング（１００）の内部床上に位置し、補助端子（２２０）の前端は、ハウジング（１００）の内部床の下に位置する。
【００６２】
カードアダプタ（３）がカードソケット（１）に結合されると、カード結合孔（３ａ）の縁は、アクセス端子（２００）の前端に接触しない。接触したとしても、主端子（２１０）とは接触しないが、補助端子（２２０）の前端部の上面に接触する。
【００６３】
図９に示されるように、カードアダプタ（３）を取り除くために引き続けると、最初に、補助端子（２２０）が下向きに押されるに従って、カード結合孔（３ａ）の縁が補助端子（２２０）の前端の上面に接触する。このように、補助端子（２２０）が下向きに押されると、単一のユニットとして補助端子（２２０）に接続する主端子（２１０）もまた下降し、その前端がハウジング（１００）の内面の床の下に下降する。よって、カード結合孔（３ａ）の縁が、主端子（２１０）の前端に引っ掛からない。
【００６４】
図１０に示されるように、カードアダプタ（３）が引き続けられると、カード結合孔（３ａ）の周囲の領域が、補助端子（２２０）および主端子（２１０）の両方を押圧し、それによってカードソケット（１）からの分離が容易になる。
【００６５】
図１１に示されるように、カードアダプタ（３）が取り除かれるときにアクセス端子（２００）を通ると、主端子（２１０）および補助端子（２２０）を備えるアクセス端子（２００）は、それ自体の弾性によって、その元の状態に戻される。
【００６６】
本発明の一実施形態では、主端子（２１０）および補助端子（２２０）の前端は、後方に向かって差し向けられているハウジング（１００）上に位置し、その結果、カードアダプタ（３）が挿入されると引っ掛かるリスクがある。これに対処するために、補助端子（２２０）が形成され、主端子（２１０）を下降させるように誘導する。補助端子（２２０）のこの役割は、主端子（２１０）および補助端子（２２０）の前端が、ハウジング（１００）の前方に向かっている場合であっても同じ方法で適用され得る。言い換えると、カードまたはカードアダプタ（３）が挿入されるかまたは取り除かれるときに、補助端子がまずカードまたはカードアダプタ（３）に接触して下降すると、補助端子（２２０）は、接続部（２３０）を介して接続される主端子（２１０）を下降させるように誘導し得る。
【００６７】
以下において、異なる幅および長さを有する２つの端子と、２つの端子に接続する接続部とを有する、多様な形状の端子それぞれによって呈された応力（比較実施例１、比較実施例２、実施形態１）は、同一の大きさの力を受ける。以下に図１４において、応力の結果を示す。
【００６８】
比較実施例１は、主端子と補助端子との長さおよび幅が異なり、かつ弾性補強孔が接続部上に形成されていないソケットで用いるための端子であり、比較実施例２は、主端子と補助端子との長さおよび幅が異なり、かつ弾性補強孔が接続部上に形成されているソケットで用いるための端子である。比較実施例２の弾性補強孔は、右（主端子の後ろ）にオフセットされているとして図中に示される。実施形態１は、本発明の実施形態１によるソケット用端子であり、主端子と補助端子との長さおよび幅が異なり、接続部上に形成された弾性補強孔は、図中左（補助端子の後ろ）にオフセットされている。
【００６９】
接触端子が同一の大きさの力を受けているときの応力の傾向を調べると、応力は、弾性補強孔がない比較実施例１では８３７．１３８ＭＰａであり、弾性補強孔が備えられているが、主端子の後方に向かってオフセットされた比較実施例２では８１９．２９６ＭＰａであり、弾性補強孔が補助端子の後方に向かってオフセットされた実施形態１では８０２．２２２ＭＰａである。
【００７０】
これらの結果を検討すると、弾性補強孔を有する比較実施例２および実施形態１は、ソケット用アクセス端子として用いられてもよく、これらのうち、実施形態１が用いられる場合、最も好ましくなるように、接触の信頼性および端子の耐用年数を増大させる。
【００７１】
図１２は、本発明の実施形態２によるカードソケットアクセス端子の斜視図であり、図１３は、図１２の上面図である。
【００７２】
実施形態によるアクセス端子（４００）は、主端子（４１０）と、補助端子（４２０）と、接続部（４３０）と、嵌め込み部（４４０）とを備える。
【００７３】
実施形態１とは異なり、実施形態によるカードソケットアクセス端子（４００）は、主端子（４１０）の幅が前端に向かって一定のままである形状を有する。同様に、補助端子（４２０）は、実施形態１のように、前端に向かって一定の幅を維持する。
【００７４】
本実施形態では、接続部（４３０）には別個の弾性補強孔は形成されず、嵌め込み部（４４０）は、実施形態１の嵌め込み部（２４０）と同じである。
【００７５】
以上において、好ましい実施形態に基づいて、本発明のカードソケットアクセス端子の説明を行ってきたが、本発明は、特定の実施形態に限定されず、関連分野の当業者においては、これらの実施形態を、特許請求の範囲に開示された範囲から逸脱することなく、様々な方法で変更することができる。
【００７６】
例えば、本発明の提示された実施形態では、主端子および補助端子は、一対一で備えられるが、本発明はこれに限定されず、また補助端子は、主端子のいずれの側にも備えられることができる。さらに、補助端子の前端は、補助端子が主端子のいずれの側に備えられた場合でも、接続されることができる。
【図１】
0006295376.tif 000003
【図２】
0006295376.tif 000004
【図３】
0006295376.tif 000005
【図４】
0006295376.tif 000006
【図５】
0006295376.tif 000007
【図６（ａ）】
0006295376.tif 000008
【図６（ｂ）】
0006295376.tif 000009
【図７】
0006295376.tif 000010
【図８】
0006295376.tif 000011
【図９】
0006295376.tif 000012
【図１０】
0006295376.tif 000013
【図１１】
0006295376.tif 000014
【図１２】
0006295376.tif 000015
【図１３】
0006295376.tif 000016
【図１４】
0006295376.tif 000017